(57)【要約】【課題】老幼を問わず誰もが安定した握り具合のもとで各種の筆記具を楽しく使用することができるばかりでなく、その際に自然に正しい持ち方も習得できるようにした筆記具用装着具の提供。【解決手段】  適宜断面形状の筆記具１における軸体部２の挿通を許して外嵌される断面形状が略三角形状を呈するグリップ部１３と、該グリップ部１３の先端側軸方向に口径の拡縮を自在に延設され、筆記体１の先端部３の突出を許してこれを挟持する挟持部２３とを少なくとも備えてなるグリップ体１２と、該グリップ体１２の挟持部２３への着脱が自在で、かつ、その止着時に筆記具１の抜脱が困難となる圧接力の生成を自在とした筒状キャップ体３２とで構成した。【選択図】図１
2005219214.tif 000002
【特許請求の範囲】
【請求項１】
適宜断面形状の筆記具における軸体部の挿通を許して外嵌される断面形状が略三角形状を呈するグリップ部と、該グリップ部の先端側軸方向に口径の拡縮を自在に延設され、前記筆記体の先端部の突出を許してこれを挟持する挟持部とを少なくとも備えてなるグリップ体と、
該グリップ体の前記挟持部への着脱が自在で、かつ、その止着時に前記筆記具の抜脱が困難となる圧接力の生成を自在とした筒状キャップ体とで構成したことを特徴とする筆記具用装着具。
【請求項２】
該筒状キャップ体には、その止着操作に伴って前記挟持部側への圧接力を次第に増大させる傾斜部をその内周対応部位に設けて前記圧接力の生成を自在とした請求項１に記載の筆記具用装着具。
【請求項３】
前記挟持部は、その開放端側から前記軸体部の挿通方向に向けて等間隔に形成した少なくとも３条以上のスリットを備え、該スリットを介して口径を拡縮自在とした請求項１または２のいずれか１項に記載の筆記具用装着具。
【請求項４】
前記挟持部には、少なくともその基端側外周面に雄ねじ部を設け、前記筒状キャップ体には、前記雄ねじ部との螺合が自在な雌ねじ部をその内周面に設けて相互の着脱を自在とした請求項１，２または３のいずれか１項に記載の筆記具用装着具。
【請求項５】
前記グリップ部の基端側における少なくとも１以上の角部には、軸方向に沿わせた係合用溝穴を各別に設け、これらの係合用溝穴の少なくともいずれかひとつを介して適宜形状の装飾用クリップ体をその係脱を自在に止着した請求項１，２，３または４のいずれか１項に記載の鉛筆用装着具。
【発明の詳細な説明】
【技術分野】
【０００１】
本発明は、鉛筆等の筆記具を自然に正しい持ち方で握ることができるようにするだけでなく、使用時における握りやすさをも同時に得ることができる筆記具用装着具に関する技術である。
【背景技術】
【０００２】
鉛筆やボールペンなどの筆記具は、通常、その軸体部の断面形状が細径な円形や正六角形を呈するものである場合が多い。このため、幼児や児童等の握力の弱い者にとっては、その使用時に握りづらいこともあって、正しい持ち方とはほど遠い変則的な握り方をしながら筆記する姿をよく見かけるようになってきている。
【０００３】
筆記具の正しい持ち方は、筆記時における姿勢や文字の正しい書き方にも大きな影響を及ぼすものであり、早期に習得させる必要がある。このため、最近では、筆記具に装着して正しい持ち方が自然に習得できるように工夫されたアダプター部品として各種の筆記具用握り部が提供されるに至っている。
【０００４】
この種の筆記具用握り部のなかには、例えば、筆記具を構成している軸体の握り部側を断面略三角形状としたり、軸体の握り部に断面略三角形状を呈するグリップ部材を外嵌させたりすることで、筆記に必要な親指、人差し指および中指の位置を自動的に矯正することができるようなものも提供されている。
【特許文献１】特開２００１−１８０１７４号公報
【０００５】
このため、上記特許文献１の開示技術によれば、筆記具の握り部の断面形状を略三角形状としたり、筆記具の握り部に断面略三角形状を呈する弾力材からなるグリップ部材を装着させることにより、３本の指による正しい保持のもとで筆記するができることになる。
【発明の開示】
【発明が解決しようとする課題】
【０００６】
しかしながら、特許文献１の上記開示技術のうち、筆記具の握り部の断面形状を略三角形状とするものについては、筆記具自体が細径であることもあって特に握力の弱い児童や幼児等にとっては持ちづらいという不都合があった。また、筆記具の握り部に断面略三角形状を呈するグリップ部材を装着する例については、グリップ部材自体が３本の指を保持させるための長さしか有しておらず、軸体の全長との関係で筆記時における安定性に欠けるばかりでなく、挿着時にデザイン的な違和感を感じさせるなどの不具合があった。
【０００７】
一方、鉛筆やボールペンなどの筆記具は、通常、その軸体部の断面形状が円形や正六角形を呈するなど、その断面形状もまちまちである。このような多様な断面形状を呈する筆記具に対し特許文献１に開示されているグリップ部材を装着して使用するためには、それぞれの断面形状に対応させた形状の挿通孔を有するものを各別に用意しておかなければならず、汎用性に乏しいことから無用な出費を強いられるという問題もあった。
【０００８】
本発明は、従来技術の上記課題に鑑み、老幼を問わず誰もが安定した握り具合のもとで各種の断面形状の筆記具を楽しく使用することができるばかりでなく、その際に自然に正しい持ち方も習得できるようにした筆記具用装着具を提供することを目的とする。
【課題を解決するための手段】
【０００９】
本発明は、上記目的を達成すべくなされたものであり、適宜断面形状の筆記具における軸体部の挿通を許して外嵌される断面形状が略三角形状を呈するグリップ部と、該グリップ部の先端側軸方向に口径の拡縮を自在に延設され、前記筆記体の先端部の突出を許してこれを挟持する挟持部とを少なくとも備えてなるグリップ体と、該グリップ体の前記挟持部への着脱が自在で、かつ、その止着時に前記筆記具の抜脱が困難となる圧接力の生成を自在とした筒状キャップ体とで構成したことに最も主要な特徴がある。
【００１０】
この場合、前記筒状キャップ体には、その止着操作に伴って前記挟持部側への圧接力を次第に増大させる傾斜部をその内周対応部位に設けて前記圧接力の生成を自在とするのが好ましい。また、前記挟持部は、その開放端側から前記軸体部の挿通方向に向けて等間隔に形成した少なくとも３条以上のスリットを備え、該スリットを介して口径を拡縮自在とするのが望ましい。さらに、前記挟持部には、少なくともその基端側外周表面に雄ねじ部を設け、前記筒状キャップ体には、前記雄ねじ部との螺合が自在な雌ねじ部をその内周面に設けて相互の着脱を自在とするのが好ましい。さたにまた、前記グリップ部の基端側における少なくとも１以上の角部には、軸方向に沿わせた係合用溝穴を各別に設け、これらの係合用溝穴の少なくともいずれかひとつを介して適宜形状の装飾用クリップ体をその係脱を自在に止着できるようにすることもできる。
【発明の効果】
【００１１】
本発明によれば、筆記具の軸体部にグリップ体を外嵌させ、挟持部から筆記具の先端部を突出させた状態のもとで筒状キャップ体を挟持部に止着させた際、該筒状キャップ体が生成する圧接力により挟持部側が縮径されるため、この圧接力により筆記具の軸体部を外周方向から挟持させることで、筆記具に抜脱困難に装着して使用することができる。
【００１２】
また、筒状キャップ体には、その止着操作に伴って挟持部側への圧接力を次第に増大させる傾斜部をその内周対応部位に設けておく場合には、筆記具をより確実に保持させた状態のもとで装着することができる。さらに、挟持部が少なくとも３条以上のスリットを有している場合には、断面形状の如何を問わず各種の筆記具に柔軟に対応させながら装着使用することができる。また、挟持部の外周面に雄ねじ部を設け、筒状キャップ体の内周面に前記雄ねじ部との螺合が自在な雌ねじ部を設けてある場合には、その着脱操作もより簡便で確実なものとすることができる。さらに、グリップ部の基端側の角部に係合用溝穴を設け、該係合用溝穴を介して装飾用クリップ体を係脱自在に止着しておく場合には、興趣に富むデザイン性を付与することができるばかりでなく、装飾用クリップ体の位置との関係で筆記具の握り位置も自然に知ることができる。また、グリップ本体部に対する装飾用クリップの取付け位置を変更することで、グリップ部の握り位置も自然に変更することができるので、グリップ部のある一面が摩耗してもその握り位置を変更することで、長期にわたり使用することができる。
【発明を実施するための最良の形態】
【００１３】
図１は、本発明の一例と筆記具のひとつである鉛筆との相互関係を示す説明図であり、そのうちの（ａ）は装着前の状態についての分解斜視図を、（ｂ）は装着後の状態についての全体斜視図をそれぞれ示す。また、図２は、図１に示す本発明の一例につき側面方向からみた場合の分解説明図である。
【００１４】
これらの図によれば、筆記具用装着具１１は、鉛筆やボールペンなど各種の筆記具１に外嵌されるグリップ体１２と、該グリップ体１２の先端側に着脱自在に止着されてその止着時に筆記具１側への押圧力を生成する筒状キャップ体３２とで少なくとも構成されている。
【００１５】
このうち、グリップ体１２は、適宜断面形状の筆記具１における軸体部２の挿通を許す円形の挿通孔１７をその軸方向に設けて断面形状が略三角形状を呈するグリップ部１３と、該グリップ部１３の先端側軸方向に口径の拡縮を自在に延設され、筆記体１のペン先などの先端部３側の突出を許してこれを挟持する挟持部２３とを少なくとも備えて形成されている。
【００１６】
この場合、グリップ部１３は、合成樹脂材などの硬質素材からなる基体部１４と、筆記時における親指と人差し指と中指との接触部位として位置する基体部１４の先端部１５側の３面を覆う軟質層１８とを備えて形成されている。
【００１７】
また、基体部１４における基端部１６側のそれぞれの角部１９には、図３に示すように端面１６ａ側から軸方向に沿わせて形成された係合用溝穴２０を有しており、これらの各係合用溝穴２０には、適宜形状の装飾用クリップ体４２が係脱自在に止着できるようになっている。
【００１８】
すなわち、装飾用クリップ体４２は、適宜形状のキャラクターなどをその表面４３ａ側に備える装飾本体部４３と、該装飾本体部４３の裏面４３ｂ側に形成された係止用突起部４４とを少なくとも備えており、該係止用突起部４４の形状に対応させてこれを導入係止する断面形状が付与された係合用溝穴２０に端面１６ａ側から差し込むことにより、その係脱が自在となって止着させることができることになる。なお、係合用溝穴２０と係止用突起部４４との断面形状は、図示例のようにＴ字形を呈するもの以外にも、相互に係脱自在に止着できるものでさえあれば、台形形状など適宜のものを所望に応じ採用することができる。
【００１９】
また、挟持部２３は、グリップ部１３の先端側、つまり軟質層１８が覆設されている基体部１４の先端部１５の開口端１５ａ側から適宜長さと可撓性とを有する筒状に延設されおり、その開放端２４側から軸体部２の挿通方向に向けて平行に等間隔をおいて各別に形成された３条のスリット２５を備えて形成されている。しかも、挟持部２３の基端２６寄りの外周面には、雄ねじ部２７が設けられており、筒状キャップ体３２がその内周面に備える雌ねじ部３４との螺合が自在となっている。
【００２０】
一方、筒状キャップ体３２は、これをグリップ体１２の挟持部２３に止着した際に挿通孔１７を介して導入されている筆記具１側への押圧力を生成すべく配設される。これをより具体的に説明すれば、筒状キャップ体３２は、上記したようにその内周面３３に挟持部２３の雄ねじ部２７との螺合が自在な雌ねじ部３４が形成されている。
【００２１】
しかも、筒状キャップ体３２は、その螺着操作に伴って挟持部２３側への圧接力を次第に増大させる傾斜部３５がその内周対応部位、つまり、筒状キャップ体３２内周面３３にあってその緊締螺着時に挟持部２３の開放端２４と対面する部位には、導入された筆記具１の先端部３側に向かって次第に縮径するようにテーパが付された傾斜部３５が形状されている。
【００２２】
このため、筒状キャップ体３２を挟持部２３に螺着させた際には、傾斜部３５が挟持部２４の開放端２４側を押し下げてそのスリット２５分だけ縮径させることにより、筆記具１の軸体部２側を確実に挟持して位置固定させることができることになる。なお、筒状キャップ体３２の外周面には、その着脱操作を円滑に行えるように微小な凹凸を付すなど、摩擦係数を高める適宜の表面処理を行っておくのが望ましい。
【００２３】
次に、図示例に基づいて本発明の作用・効果を説明すれば、まず、図１（ａ）に示すように、グリップ体１２側から筒状キャップ３２を引き離した上で、筆記具１をその先端部３が挟持部２３側に位置するようにして挿通孔１７内を挿通させて配置した後、図１（ｂ）に示すように筒状キャップ３２を挟持部２３に緊締螺着することで装着作業を終え、直ちに筆記作業に入ることができる。
【００２４】
この際における挟持部２３と筒状キャップ３２との関係を説明すれば、図４（ａ）に示すように筒状キャップ３２が螺着される前の挟持部２３は、図５（ａ）に示すように本来のスリット２５幅を確保しながら所定の口径が確保された状態にある。また、図４（ｂ）に示すように筒状キャップ３２が緊締螺着された後の挟持部２３は、図５（ｂ）に示すようにスリット２５幅が当初より狭まり、その分だけ挟持部２３の開放端２４側が縮径する結果、挿通されている筆記具１も挟持部２３の開放端２４により咬持されるような状態で確実に位置固定されることになる。
【００２５】
また、挟持部２３は、等間隔に形成された３条のスリット２５を有しているので、断面円形形状を呈する筆記具１はもとより、例えば筆記具１が断面三角形状を呈するものであればそれぞれの角部を対応するスリット２５と各別に対面するように配置することで、また、筆記具１が断面正六角形状を呈するものであればひとつおきの角部を対応するスリット２５と各別に対面するように配置することで、いずれも確実に位置固定させることができる。つまり、筆記具１の断面形状に如何を問わず確実に位置固定することができることになる。しかも、筆記具１が鉛筆であって、その長さが使用により短くなった場合であっても、本発明に係る筆記具用装着具１１を用いることでその使用を継続できるので、省エネ効果や経費節減効果に有効に寄与させることができる。
【００２６】
さらに、グリップ部１３は、親指と人差し指と中指との接触部位として位置する基体部１４の先端部１５側の３面が軟質層１８で覆われた断面略三角形状を呈して、筆記具１よりも大径に形成されているので、老幼を問わず安定した状態のもとでしっかりと握ることができることになる。また、軟質層１８は、指の圧力が吸収できる適度な弾力性を有しているので、長時間にわたり使用しても手指に対する負担を軽減することができる。
【００２７】
しかも、グリップ部１３は、基体部１４の先端部１５側の３面が軟質層１８で覆われた大径な断面略三角形状を呈しているので、これら３面からなる軟質層１８を親指と人差し指と中指とで各別に握ることにより、筆記具１に対する正しい握り方を自然に会得できることになる。
【００２８】
一方、上記したような実用的な効果とは別に、グリップ部１３における基体部１４の基端部１６側のそれぞれの角部１９には、図２および図３に示されているように係合用溝穴２０が形成されているので、これらの各係合用溝穴２０には、係止用突起部４４を導入することにより装飾用クリップ体４２を係脱自在に止着できる。
【００２９】
したがって、今回使用時に上面側に位置する係合用溝穴２０を介して装飾用クリップ体４２を止着しておくならば、興趣に富むより優れたデザイン性を付与することができるだけでなく、遊び心を満足させながらより楽しく筆記作業を行うこともできる。
【００３０】
しかも、グリップ部１３は、計３カ所の角部１９に各別に係合用溝穴２０を備えているので、軟質層１８の使用による摩耗などにより手指による握り位置を変えた際、上面側に位置することになる係合用溝穴２０に装飾用クリップ体４２を付け替えて握り位置の目印とすることもできる。
【００３１】
以上は、本発明を図示例にしたがって説明したものであり、本発明の具体的な内容はこれに限られるものではない。例えば、筒状キャップ体３２は、図示例のようにグリップ体１２側に螺合して止着するもののほか、適宜の嵌合構造のもとでグリップ体１２側に止着したり、適宜の圧接構造のもとでグリップ体１２側に止着するものとしてもよい。しかも、筒状キャップ体３２は、その止着時に筆記具１の抜脱が困難となる圧接力を生成できるものであれば、図示例のように全周にわたり傾斜部３５を形成する以外に、その周方向に部分的に形成したり、以外にも挟持部２３の先端側を厚肉にするなどして相対的に圧接力を生成することができるようにしてもよい。
【００３２】
また、グリップ体１２は、係合用溝穴２０を設けることなく形成することもできる。さらに、挟持部２３に形成されるスリット２５は、必要により１条であってもよく、さらには３条以外の複数条を設けることもできる。さらにまた、図示例におけるグリップ体１２は、断面略三角形状を呈して形成されているが、少なくとも軟質層１８を備える先端部１５は、３つの各面を例えば指の圧力が加わりやすいように傾斜凹面を形成したり、指の滑り止め加工等を施していてもよく、これにより、その使用性をさらに向上させることができる。また、グリップ部１３に形成される係合用溝穴２０は、３つの角部１９の全てに設けるのが望ましいが、所望によりいずれか一つまたは二つの角部１９に設けておくこともできる。
【図面の簡単な説明】
【００３３】
【図１】本発明の一例と筆記具のひとつである鉛筆との相互関係を示す概要説明図であり、そのうちの（ａ）は装着前の状態についての分解斜視図を、（ｂ）は装着後の状態についての全体斜視図をそれぞれ示す。
【図２】図１に示す本発明の一例につき側面方向からみた場合の分解説明図である。
【図３】グリップ部の基端部側の端面と装飾用クリップ体との対応関係を例示する説明図である。
【図４】グリップ体の挟持部と筒状キャップ体との関係を要部を拡大して示す側面図であり、そのうちの（ａ）は止着前の状態を、（ｂ）は止着後の状態をそれぞれ示す。
【図５】グリップ体の挟持部と筒状キャップ体との関係を先端方向からみた際の状態を拡大して示す正面図であり、そのうちの（ａ）は止着前の状態を、（ｂ）は止着後の状態をそれぞれ示す。
【符号の説明】
【００３４】
１  筆記具
２  軸体部
３  先端部
１１  筆記具用装飾具
１２  グリップ体
１３  グリップ部
１４  基体部
１５  先端部
１５ａ  開口端
１６  基端部
１６ａ  端面
１７  挿通孔
１８  軟質層
１９  角部
２０  係合用溝穴
２３  挟持部
２４  開放端
２５  スリット
２６  基端
２７  雄ねじ部
３２  筒状キャップ体
３３  内周面
３４  雌ねじ部
３５  傾斜部
４２  装飾用クリップ体
４３  装飾本体部
４３ａ  表面
４３ｂ  裏面
４４  係止用突起
【図１】
2005219214.tif 000003
【図２】
2005219214.tif 000004
【図３】
2005219214.tif 000005
【図４】
2005219214.tif 000006
【図５】
2005219214.tif 000007